(57)【要約】【課題】搭載される送風部が増えた場合であっても、部品点数の増加を招くことなく、フィルタを設けることができる便座装置を提供する。【解決手段】実施形態に係る便座装置は、便器脱臭ファンと、室内脱臭ファンと、換気ファンと、フィルタ部材とを備える。便器脱臭ファンは、便器内の空気を吸引して第１脱臭装置へ送出する。室内脱臭ファンは、トイレルーム内の空気を吸引して第２脱臭装置へ送出する。換気ファンは、トイレルーム内の空気を吸引してケース部内へ送出し、ケース部内を換気する。フィルタ部材は、便器脱臭ファンの上流側に位置される第１フィルタと、室内脱臭ファンの上流側に位置される第２フィルタと、換気ファンの上流側に位置される第３フィルタとを有する。【選択図】図７
2018028233.tif 000002
【特許請求の範囲】
【請求項１】
便器内の空気を吸引して第１脱臭部へ送出する第１送風部と、
トイレルーム内の空気を吸引して第２脱臭部へ送出する第２送風部と、
前記トイレルーム内の空気を吸引してケース部内へ送出し、前記ケース部内を換気する第３送風部と、
前記第１送風部の上流側に位置される第１フィルタと、前記第２送風部の上流側に位置される第２フィルタと、前記第３送風部の上流側に位置される第３フィルタとを有するフィルタ部材と
を備えることを特徴とする便座装置。
【請求項２】
前記フィルタ部材は、
第１、第２、第３送風部のうち風量が大きい送風部に対応するフィルタの目の粗さが、他のフィルタの目の粗さよりも細かくなるように形成されること
を特徴とする請求項１に記載の便座装置。
【請求項３】
前記フィルタ部材は、
前記目の粗さが細かいフィルタの面積が、前記他のフィルタの面積よりも大きくなるように形成されること
を特徴とする請求項２に記載の便座装置。
【請求項４】
前記フィルタ部材は、
前記ケース部に対して前記ケース部の側面側から中心方向へ向けて着脱自在とされるとともに、前記ケース部に取り付けられた状態において前記第１フィルタが、前記第２、第３フィルタよりも前記ケース部の中心に近い位置となるように形成されること
を特徴とする請求項１〜３のいずれか一つに記載の便座装置。
【請求項５】
前記フィルタ部材は、
空気の流れ方向において上流側に形成され、空気の流路を前記第１、第２、第３送風部ごとに区画する壁部
を備えることを特徴とする請求項１〜４のいずれか一つに記載の便座装置。
【請求項６】
前記フィルタ部材は、
空気の流れ方向において下流側に向けて突出する係止爪
を備え、
前記ケース部において前記フィルタ部材の下流側の面と対向する位置に、前記係止爪と係止可能な係止部が形成されること
を特徴とする請求項１〜５のいずれか一つに記載の便座装置。
【請求項７】
前記第１脱臭部の下流側に位置されて前記第１送風部から前記第１脱臭部を介して流れる空気を排出する第１排気口と、前記第２脱臭部の下流側に位置されて前記第２送風部から前記第２脱臭部を介して流れる空気を排出する第２排気口とを有する排気部材
を備えることを特徴とする請求項１〜６のいずれか一つに記載の便座装置。
【発明の詳細な説明】
【技術分野】
【０００１】
開示の実施形態は、便座装置に関する。
【背景技術】
【０００２】
従来、便器の上部に設けられる便座装置において、たとえば排泄時に生じた便器内の臭気をファンなどの送風部で吸引し、吸引した臭気を脱臭して装置外へ排出する技術が知られている（たとえば特許文献１参照）。また、上記した便座装置にあっては、送風部の上流側にフィルタが設けられ、埃や紙粉などの粉塵が送風部に吸引されることを防止している。
【先行技術文献】
【特許文献】
【０００３】
【特許文献１】特開２０１１−００６９７０号公報
【発明の概要】
【発明が解決しようとする課題】
【０００４】
しかしながら、近年、便器装置には、上記した送風部に加え、トイレルーム内の空気を脱臭するための送風部や、各種部品を収容するケース部内を換気するための送風部が搭載される場合がある。かかる場合、上記した３つの送風部に対してそれぞれフィルタが設けられる。そのため、従来技術にあっては、増えたフィルタの分だけ部品点数が増加していた。
【０００５】
実施形態の一態様は、上記に鑑みてなされたものであって、搭載される送風部が増えた場合であっても、部品点数の増加を招くことなく、フィルタを設けることができる便座装置を提供することを目的とする。
【課題を解決するための手段】
【０００６】
実施形態の一態様に係る便座装置は、便器内の空気を吸引して第１脱臭部へ送出する第１送風部と、トイレルーム内の空気を吸引して第２脱臭部へ送出する第２送風部と、前記トイレルーム内の空気を吸引してケース部内へ送出し、前記ケース部内を換気する第３送風部と、前記第１送風部の上流側に位置される第１フィルタと、前記第２送風部の上流側に位置される第２フィルタと、前記第３送風部の上流側に位置される第３フィルタとを有するフィルタ部材とを備えることを特徴とする。
【０００７】
これにより、便座装置において、搭載される送風部が増えた場合であっても、フィルタ部材が３つのフィルタを有することから、部品点数の増加を招くことなく、フィルタを設けることができる。
【０００８】
また、前記フィルタ部材は、第１、第２、第３送風部のうち風量が大きい送風部に対応するフィルタの目の粗さが、他のフィルタの目の粗さよりも細かくなるように形成されることを特徴とする。このように、送風部の風量が大きいと、吸引される空気に含まれる粉塵の量も増えることから、フィルタの目を細かくすることで、粉塵を確実に捕集することができる。
【０００９】
また、前記フィルタ部材は、前記目の粗さが細かいフィルタの面積が、前記他のフィルタの面積よりも大きくなるように形成されることを特徴とする。これにより、フィルタの目を細かくした場合であっても、対応する送風部において、所望の風量を確保することができる。
【００１０】
また、前記フィルタ部材は、前記ケース部に対して前記ケース部の側面側から中心方向へ向けて着脱自在とされるとともに、前記ケース部に取り付けられた状態において前記第１フィルタが、前記第２、第３フィルタよりも前記ケース部の中心に近い位置となるように形成されることを特徴とする。これにより、第１フィルタは、便器の中心に寄って配置されることとなるため、第１フィルタが便器の端部に配置される場合に比べて、便器内の空気を効率よく吸引して脱臭することが可能となる。
【００１１】
また、前記フィルタ部材は、空気の流れ方向において上流側に形成され、空気の流路を前記第１、第２、第３送風部ごとに区画する壁部を備えることを特徴とする。これにより、便器内の空気は第１送風部によって、トイレルーム内の空気は第２送風部または第３送風部によって確実に吸引され、結果として脱臭や換気を適切に行うことができる。
【００１２】
また、前記フィルタ部材は、空気の流れ方向において下流側に向けて突出する係止爪を備え、前記ケース部において前記フィルタ部材の下流側の面と対向する位置に、前記係止爪と係止可能な係止部が形成されることを特徴とする。これにより、たとえば粉塵が付着し易いフィルタ部材の上流側の面が係止部と接触することはなく、よって粉塵が第１送風部などに吸引されることを、より一層効果的に抑制することができる。
【００１３】
また、前記第１脱臭部の下流側に位置されて前記第１送風部から前記第１脱臭部を介して流れる空気を排出する第１排気口と、前記第２脱臭部の下流側に位置されて前記第２送風部から前記第２脱臭部を介して流れる空気を排出する第２排気口とを有する排気部材を備えることを特徴とする。これにより、便座装置にあっては、装置外へ排気する送風部が増えた場合であっても、部品点数の増加を招くことなく、排気口を設けることができる。
【発明の効果】
【００１４】
実施形態の一態様によれば、便座装置において、搭載される送風部が増えた場合であっても、部品点数の増加を招くことなく、フィルタを設けることができる。
【図面の簡単な説明】
【００１５】
【図１】図１は、実施形態に係る便座装置が設置されたトイレルームを模式的に示す斜視図である。
【図２】図２は、便座装置の模式分解斜視図である。
【図３】図３は、便座装置をケースカバーを取り除いて示す模式平面図である。
【図４】図４は、ケースカバーに加え、第１、第２脱臭装置および換気装置も取り除かれた便座装置を示す模式平面図である。
【図５】図５は、図３のＶ−Ｖ線図である。
【図６】図６は、図３のVI−VI線図である。
【図７】図７は、ケース部から取り外されたフィルタ部材を上方から見たときの斜視図である。
【図８】図８は、フィルタ部材を下方から見たときの斜視図である。
【図９】図９は、図７のIX−IX線断面図である。
【図１０】図１０は、便座装置を後方から見たときの模式斜視図である。
【図１１】図１１は、排気部材の拡大斜視図である。
【発明を実施するための形態】
【００１６】
以下、添付図面を参照して、本願の開示する便座装置の実施形態を詳細に説明する。なお、以下に示す実施形態によりこの発明が限定されるものではない。
【００１７】
図１は、実施形態に係る便座装置が設置されたトイレルームを模式的に示す斜視図である。図１に示すように、トイレルーム１００には、トイレ装置１が設置される。トイレ装置１は、洋式大便器（以下「便器」と記載する）１０と、貯水タンク１５と、便座装置２０とを備える。
【００１８】
なお、本願明細書においては、便器１０の前に立った使用者からみて手前側を「前方」とし、奥側を「後方」とする。また、便器１０の前に立った使用者からみて右側を「右側方」とし、左側を「左側方」とする。また、便器１０の前に立った使用者からみて上方を「上方」とし、下方を「下方」とする。
【００１９】
便器１０は、貯水タンク１５に貯留された水で洗浄を行うロータンク式であるが、これに限定されるものではなく、たとえばフラッシュバルブ式であってもよい。また、図１に示す例では、床置き式の便器１０を示したが、これに限られず、壁掛け式などであってもよい。
【００２０】
便座装置２０は、便器１０の上部に設けられる。図２は、便座装置２０の模式分解斜視図である。図２に示すように、便座装置２０は、本体部２１と、便座２２と、便蓋２３とを備える。便座２２および便蓋２３はともに、本体部２１に開閉可能に取り付けられる。
【００２１】
本体部２１は、ケース部２４と、ノズルユニット２５と、フィルタ部材６０とを備える。ケース部２４は、ケースプレート２４ａと、ケースプレート２４ａに取り付けられるケースカバー２４ｂとを備え、ノズルユニット２５などを収容する。
【００２２】
ノズルユニット２５は、洗浄ノズル２５ａを備える。洗浄ノズル２５ａは、図示しない電動モータなどの駆動源の駆動により、ケース部２４に対して進退可能に構成される。また、洗浄ノズル２５ａは、図示しない水道管などの水源に接続される。そして、洗浄ノズル２５ａは、ケース部２４に対して進出した位置にあるときに、水源からの水を使用者の身体へ噴出させて局部を洗浄する。
【００２３】
このように、便座装置２０は、使用者の局部を洗浄する機能を有する衛生洗浄装置である。なお、上記では、便座装置２０は、衛生洗浄機能を有するようにしたが、これに限られず、衛生洗浄機能を有していなくてもよい。また、便座装置２０は、便座２２に座った使用者のおしりなどに温風を吹き付けて乾燥させる乾燥機能や、便座２２の着座面を適温に温める便座暖房機能などを有していてもよい。
【００２４】
フィルタ部材６０は、後述する第１、第２脱臭装置３０，４０および換気装置５０（図３参照）用のフィルタを有する部材である。なお、フィルタ部材６０の構成については、後に詳しく説明する。フィルタ部材６０は、ケース部２４に対してケース部２４の側面側から中心方向へ向けて着脱自在とされる、具体的には、ケース部２４の右側面側から、左右方向の中心線Ｃの方向へ向けて着脱自在とされる。
【００２５】
図３は、便座装置２０をケースカバー２４ｂを取り除いて示す模式平面図である。なお、図３においては、便器１０を想像線で示した。また、図３では、図の簡略化のため、ノズルユニット２５など一部の部品の図示を省略した。
【００２６】
図３に示すように、ケースプレート２４ａは、便器１０のボウル部１１の後方に設けられる。詳しくは、ケースプレート２４ａは、平面視において、ボウル部１１の後方側の内周縁１１ａの一部と重なるようにして、便器１０に設けられる。
【００２７】
また、便座装置２０はさらに、第１脱臭装置３０と、第２脱臭装置４０と、換気装置５０とを備える。第１脱臭装置３０は、便器１０内の空気を吸引して脱臭する装置である。また、第２脱臭装置４０は、トイレルーム１００（図１参照）内の空気を吸引して脱臭する装置である。また、換気装置５０は、トイレルーム１００（図１参照）内の空気を吸引し、吸引した空気をケース部２４へ供給してケース部２４内を換気する装置である。
【００２８】
以下、各装置３０，４０，５０について詳しく説明する。第１、第２脱臭装置３０，４０および換気装置５０は、ケース部２４に収容される。また、第１、第２脱臭装置３０，４０および換気装置５０は、平面視において、ケース部２４の中心線Ｃよりも側面側、正確には右側面側に寄せて配置され、ケースプレート２４ａに取り付けられる。
【００２９】
具体的には、第２脱臭装置４０および換気装置５０は、ケース部２４の右側面に近接して配置される。また、第２脱臭装置４０は、換気装置５０の後方に隣接して配置される。第１脱臭装置３０は、第２脱臭装置４０および換気装置５０の左側方に隣接して配置される。
【００３０】
第１脱臭装置３０は、便器脱臭ファン３１と、第１吸気路３２と、第１排気路３３と、第１脱臭部３４とを備える。便器脱臭ファン３１は、空気を下方（図３紙面奥側）から吸引して後方へ送出するファンである。なお、各装置３０，４０，５０における空気の流れについては後述する。
【００３１】
便器脱臭ファン３１としては、たとえばシロッコファンを用いることができるが、これに限定されるものではなく、ターボファンなどその種類のファンであってもよい。なお、便器脱臭ファン３１は、第１送風部の一例である。
【００３２】
第１吸気路３２は、便器脱臭ファン３１の吸気側に接続され、便器脱臭ファン３１によって吸引される空気が流れる。
【００３３】
図４は、図３で取り除かれたケースカバー２４ｂに加え、第１、第２脱臭装置３０，４０および換気装置５０も取り除かれた便座装置２０を示す模式平面図である。また、図５は、図３のＶ−Ｖ線図である。
【００３４】
図４，５に示すように、ケースプレート２４ａにおいて、第１吸気路３２（図３参照）と対応する位置には、第１吸気口２６１が形成される。第１吸気口２６１は、開口であり、図５に想像線で示す便器１０の上面１０ａよりも上方に離間して位置される。これにより、第１吸気口２６１の下方には、隙間３６が形成される。
【００３５】
ケースプレート２４ａの底面２４ａ１において、第１吸気口２６１と対応する位置には、開口部２７が形成される。開口部２７は、便器１０のボウル部１１を臨む位置に形成される開口である。従って、図５に示すように、第１吸気路３２は、下方にあるボウル部１１内の空間と、開口部２７、隙間３６および第１吸気口２６１を介して連通することとなる。
【００３６】
第１排気路３３は、図３に示すように、便器脱臭ファン３１の排気側に接続され、便器脱臭ファン３１から送出された空気（排気）が流れる。なお、第１排気路３３の下流側には、排気部材８０が設けられるが、かかる排気部材８０については図１０，１１を用いて後述する。
【００３７】
第１脱臭部３４は、図３に破線で示すように、第１排気路３３の途中に設けられる。第１脱臭部３４としては、たとえば活性炭を使った触媒を利用して脱臭する部材を用いることができるが、これに限定されるものではない。
【００３８】
次に、第２脱臭装置４０について説明する。図６は、図３のVI−VI線図である。図３，６に示すように、第２脱臭装置４０は、室内脱臭ファン４１と、第２吸気路４２（図６参照）と、第２排気路４３（図３参照）と、第２脱臭部４４（図３参照）とを備える。
【００３９】
室内脱臭ファン４１は、便器脱臭ファン３１と同様、空気を下方（図３紙面奥側）から吸引して後方へ送出するファンである。室内脱臭ファン４１としては、たとえばシロッコファンを用いることができるが、これに限られず、ターボファンなどその種類のファンであってもよい。なお、室内脱臭ファン４１は、第２送風部の一例である。
【００４０】
第２吸気路４２は、図６に示すように、室内脱臭ファン４１の吸気側に接続され、室内脱臭ファン４１によって吸引される空気が流れる。また、ケースプレート２４ａにおいて、第２吸気路４２と対応する位置には、図４，６に示すように、第２吸気口２６２が形成される。
【００４１】
第２吸気口２６２は、開口であり、図６に想像線で示す便器１０の上面１０ａよりも上方に離間して位置される。これにより、第２吸気口２６２の下方には、トイレルーム１００（図１参照）の空間と連通する隙間４６が形成される。従って、第２吸気路４２は、下方にある第２吸気口２６２および隙間４６を介してトイレルーム１００の空間と連通することとなる。
【００４２】
第２排気路４３は、図３に示すように、室内脱臭ファン４１の排気側に接続され、室内脱臭ファン４１から送出された空気（排気）が流れる。なお、第２排気路４３の下流側には、後述する排気部材８０が設けられる。
【００４３】
第２脱臭部４４は、図３に破線で示すように、第２排気路４３の途中に設けられる。第２脱臭部４４としては、たとえばセラミックスを含む多孔質構造の脱臭フィルタを用いることができる。
【００４４】
かかる脱臭フィルタは、たとえば殺菌水が噴霧されることで脱臭を行う。すなわち、図示は省略するが、便座装置２０は、洗浄水が貯留された容器内に一対の電極が配置された電解槽を備え、電極に直流電流を通電して洗浄水を電気分解させることで、殺菌水を生成する。なお、生成される殺菌水は、たとえば次亜塩素酸を含む液である。そして、殺菌水が脱臭フィルタに噴霧され、殺菌水を含んだ脱臭フィルタ内を空気が通過するとき、次亜塩素酸によって悪臭成分が分解されて取り除かれる。
【００４５】
次に、換気装置５０について説明する。換気装置５０は、図５に示すように、換気ファン５１と、第３吸気路５２とを備える。
【００４６】
換気ファン５１は、空気を下方から吸引して上方へ送出するファンである。換気ファン５１としては、たとえばプロペラファンを用いることができるが、これに限られず、シロッコファンなどその他の種類のファンであってもよい。なお、換気ファン５１は、第３送風部の一例である。
【００４７】
第３吸気路５２は、図５に示すように、換気ファン５１の吸気側に接続され、換気ファン５１によって吸引される空気が流れる。また、ケースプレート２４ａにおいて、第３吸気路５２と対応する位置には、図４，５に示すように、第３吸気口２６３が形成される。
【００４８】
第３吸気口２６３は、開口であり、図５に想像線で示す便器１０の上面１０ａよりも上方に離間して位置される。これにより、第３吸気口２６３の下方には、トイレルーム１００（図１参照）の空間と連通する隙間５６が形成される。従って、第３吸気路５２は、下方にある第３吸気口２６３および隙間５６を介してトイレルーム１００の空間と連通することとなる。
【００４９】
なお、換気装置５０は、排気路を備えず、換気ファン５１は、吸引した空気をケース部２４内へ直接排気するように構成されるが、これに限られず、換気ファン５１の排気側に排気路を接続し、ケース部２４内の所定の位置で排気するようにしてもよい。
【００５０】
上記したように、本実施形態に係る便座装置２０にあっては、互いに異なる機能を有する３つのファン３１，４１，５１が搭載される。かかるファン３１，４１，５１の上流側には、埃や紙粉などの粉塵が吸引されることを防止するフィルタが設けられる。そのため、たとえば仮に、３つのファン３１，４１，５１に対して、別体のフィルタをそれぞれ設けるように構成すると、部品点数が増加してしまう。
【００５１】
そこで、本実施形態に係る便座装置２０にあっては、搭載されるファン３１，４１，５１が増えた場合であっても、部品点数の増加を招くことなく、フィルタを設けることができる構成とした。以下、その構成について詳説する。
【００５２】
便座装置２０は、上記したように、ケース部２４に対して着脱自在に取り付けられるフィルタ部材６０を備える（図２参照）。具体的には、ケース部２４にはフィルタ部材６０を挿入可能な空間が形成される。この空間は、図５，６に示すように、ケース部２４において、第１吸気口２６１、第２吸気口２６２および第３吸気口２６３と、ケースプレート２４ａの底面２４ａ１との間の空間であり、フィルタ部材６０は、かかる空間に挿入されることで、ケース部２４に取り付けられる。
【００５３】
図７は、ケース部２４から取り外されたフィルタ部材６０を上方から見たときの斜視図であり、図８は、フィルタ部材６０を下方から見たときの斜視図である。
【００５４】
図７，８に示すように、フィルタ部材６０は、第１フィルタ６１１と、第２フィルタ６１２と、第３フィルタ６１３とを備えた、平板状の部材である。
【００５５】
第１フィルタ６１１は、便器脱臭ファン３１用のフィルタである。また、第２フィルタ６１２は室内脱臭ファン４１用のフィルタ、第３フィルタ６１３は換気ファン５１用のフィルタである。
【００５６】
このように、フィルタ部材６０は、機能の異なるファン３１，４１，５１にそれぞれ対応する第１〜第３フィルタ６１１〜６１３を有している。言い換えると、第１〜第３フィルタ６１１〜６１３は、一つの部材であるフィルタ部材６０に形成される。
【００５７】
これにより、本実施形態に係る便座装置２０にあっては、搭載されるファン３１，４１，５１が増えた場合であっても、部品点数の増加を招くことなく、フィルタ６１１〜６１３を設けることができる。
【００５８】
また、第１〜第３フィルタ６１１〜６１３は、後述するように、粉塵を捕集する。そのため、使用者は、フィルタ部材６０をケース部２４から取り外し、フィルタ６１１〜６１３に付着した粉塵を洗い流すフィルタ洗浄などのメンテナンスを行う。本実施形態においては、上記のように、フィルタ６１１〜６１３が一つの部材たるフィルタ部材６０に形成されるため、使用者は１回の洗浄作業で、フィルタ６１１〜６１３をきれいにすることが可能となり、よってメンテナンスの負担を軽減することができる。
【００５９】
第１〜第３フィルタ６１１〜６１３について、さらに詳しく説明すると、第１フィルタ６１１は、図４，５に示すように、フィルタ部材６０がケース部２４に取り付けられた状態において、第１吸気口２６１と対応するように位置される。
【００６０】
従って、便器脱臭ファン３１が作動して空気を吸引すると、空気の流れは、矢印Ａ１（図５参照）で示すように、便器１０のボウル部１１内の空気が、開口部２７、隙間３６を通って第１フィルタ６１１を通過する。これにより、第１フィルタ６１１は、通過する空気に含まれる粉塵などを捕集することができ、よって下流側に配置される便器脱臭ファン３１に粉塵が吸引されることを防止することができる。
【００６１】
続いて、第１フィルタ６１１を通過した空気は、第１吸気口２６１から第１吸気路３２を経て、便器脱臭ファン３１に吸引される。そして、便器脱臭ファン３１の排気側から送出された空気は、図３に矢印Ａ２で示すように、第１脱臭部３４で脱臭された後、第１排気路３３および排気部材８０を介して便座装置２０の外部へ排出される。
【００６２】
また、第２フィルタ６１２は、図４，６に示すように、フィルタ部材６０がケース部２４に取り付けられた状態において、第２吸気口２６２と対応するように位置される。従って、室内脱臭ファン４１が作動して空気を吸引すると、空気の流れは、図６に矢印Ｂ１で示すように、トイレルーム１００（図１参照）内の空気が、隙間４６を通って第２フィルタ６１２を通過する。これにより、第２フィルタ６１２は、通過する空気に含まれる粉塵を捕集することができ、よって下流側に配置される室内脱臭ファン４１に粉塵が吸引されることを防止することができる。
【００６３】
次に、第２フィルタ６１２を通過した空気は、第２吸気口２６２から第２吸気路４２を通って、室内脱臭ファン４１に吸引される。そして、室内脱臭ファン４１の排気側から送出された空気は、図３に矢印Ｂ２で示すように、第２脱臭部４４で脱臭された後、第２排気路４３および排気部材８０を介して便座装置２０の外部へ排出される。
【００６４】
第３フィルタ６１３は、図４，５に示すように、フィルタ部材６０がケース部２４に取り付けられた状態において、第３吸気口２６３と対応するように位置される。従って、換気ファン５１が作動して空気を吸引すると、空気の流れは、図５に矢印Ｃ１で示すように、トイレルーム１００（図１参照）内の空気が、隙間５６を通って第３フィルタ６１３を通過する。これにより、第３フィルタ６１３は、通過する空気に含まれる粉塵を捕集することができ、よって下流側に配置される換気ファン５１に粉塵が吸引されることを防止することができる。
【００６５】
続いて、第３フィルタ６１３を通過した空気は、第３吸気口２６３から第３吸気路５２を経て、換気ファン５１に吸引される。そして、換気ファン５１の排気側から送出された空気は、図３，５に矢印Ｃ２で示すように、ケース部２４内へ供給され、ケース部２４内が換気される。
【００６６】
このように、フィルタ部材６０において、第１〜第３フィルタ６１１〜６１３はいずれも下方から上方へ向けて空気が通過する。従って、本実施形態では、フィルタ部材６０の下面６０ｂ（図８参照）が空気の流れ方向における上流側の面、上面６０ａ（図７参照）が下流側の面となる。
【００６７】
ここで、フィルタ部材６０における第１〜第３フィルタ６１１〜６１３の位置関係について図４を参照しつつ説明する。なお、図４では、フィルタ部材６０においてケースプレート２４ａで隠れる外形部分を破線で示した。
【００６８】
図４に示すように、フィルタ部材６０は、ケース部２４に取り付けられた状態において第１フィルタ６１１が、第２フィルタ６１２および第３フィルタ６１３よりもケース部２４の中心（言い換えると左右方向の中心線Ｃ）に近い位置となるように形成される。
【００６９】
これにより、便器脱臭ファン３１用のフィルタである第１フィルタ６１１は、便器１０の中心に寄って配置されることとなる。従って、本実施形態に係る便座装置２０にあっては、第１フィルタ６１１が便器１０の端部に配置される場合に比べて、便器１０内（ボウル部１１内）の空気を効率よく吸引して脱臭することができる。
【００７０】
上記した第１〜第３フィルタ６１１〜６１３は、たとえばメッシュ形状のフィルタとされるが、図示の形状は例示であって限定されるものではない。
【００７１】
また、フィルタ部材６０において、第１〜第３フィルタ６１１〜６１３の目の粗さは、たとえば対応するファン３１，４１，５１の風量に応じて設定される。すなわち、ファンの風量が大きいと、吸引される空気に含まれる粉塵の量も増えるため、フィルタの目を細かくして、粉塵を確実に捕集することが望ましい。
【００７２】
そこで、本実施形態に係るフィルタ部材６０は、便器脱臭ファン３１、室内脱臭ファン４１、換気ファン５１のうち、風量が大きいファンに対応するフィルタの目の粗さが、他のフィルタの目の粗さよりも細かくなるように形成されるようにした。
【００７３】
具体的に説明すると、本実施形態において、風量の大きさは、大きい順に、便器脱臭ファン３１、室内脱臭ファン４１、換気ファン５１の順となる。従って、フィルタ部材６０は、第１フィルタ６１１の目の粗さが、他の第２、第３フィルタ６１２，６１３の粗さよりも細かくなるように形成される。これにより、風量が比較的大きい便器脱臭ファン３１に対応する第１フィルタ６１１において、粉塵を確実に捕集することができる。
【００７４】
また、フィルタ部材６０は、風量の大きさに基づき、第２フィルタ６１２の目の粗さが、第３フィルタ６１３の目の粗さよりも細かくなるように形成されるが、これに限られず、第２、第３フィルタ６１２，６１３の目の粗さが同じであってもよい。
【００７５】
上記したように、フィルタの目の粗さを細かくすると、単位面積当たりで通過する空気の量が減少する。そこで、本実施形態に係るフィルタ部材６０は、目の粗さが細かい第１フィルタ６１１の面積が、他の第２、第３フィルタ６１２，６１３の面積よりも大きくなるように形成される。これにより、便器脱臭ファン３１においては、第１フィルタ６１１の目を細かくした場合であっても、所望の風量を確保することができる。
【００７６】
また、第１〜第３フィルタ６１１〜６１３の面積は、上記した目の粗さや所望する風量などに基づいて、大きい順に、第１フィルタ６１１、第２フィルタ６１２、第３フィルタ６１３の順となる。
【００７７】
なお、上記では、第１〜第３フィルタ６１１〜６１３の目の粗さや面積を互いに異なるようにしたが、これに限定されるものではなく、たとえば一部または全部のフィルタの粗さや面積を同じにしてもよい。また、上記した、ファンの風量の大きさ、フィルタの目の粗さや面積は、例示であって限定されるものではない。
【００７８】
フィルタ部材６０の説明を続けると、図７，８に示すように、フィルタ部材６０はさらに、壁部６２と、取手部６３と、係止爪６４と、ストッパ部６５とを備える。図９は、図７のIX−IX線断面図である。
【００７９】
図８，９に示すように、壁部６２は、フィルタ部材６０の下面６０ｂ側に形成される。かかる下面６０ｂは、上記したように、フィルタ部材６０の空気の流れ方向における上流側の面であることから（図５，６参照）、言い換えると、壁部６２は、フィルタ部材６０の空気の流れ方向における上流側に形成される。
【００８０】
図８に示すように、壁部６２は、第１壁部６２ａと、第２壁部６２ｂと、第３壁部６２ｃとを備える。第１壁部６２ａは、後述する取手部６３を除いて、フィルタ部材６０の周縁に沿って形成される。第２壁部６２ｂは、第１フィルタ６１１と、第２、第３フィルタ６１２，６１３との間に形成される。また、第３壁部６２ｃは、第２フィルタ６１２と第３フィルタ６１３との間に形成される。
【００８１】
第１〜第３壁部６２ａ〜６２ｃのそれぞれの下面６０ｂからの高さは、同じまたは略同じとされる。そして、壁部６２は、図５，６に示すように、フィルタ部材６０がケース部２４に取り付けられた状態において、先端（下端）がケースプレート２４ａの底面２４ａ１に当接または近接するように形成される。
【００８２】
従って、フィルタ部材６０の下面６０ｂ側にあっては、ケース部２４に取り付けられた状態において、第１フィルタ６１１の上流側の空間が第１壁部６２ａと第２壁部６２ｂとによって囲まれることとなる（囲まれた空間は上記した隙間３６と略同じである）。また、第２フィルタ６１２の上流側の空間は、第１壁部６２ａと第２壁部６２ｂと第３壁部６２ｃとによって囲まれる（囲まれた空間は隙間４６と略同じである）。また、第３フィルタ６１３の上流側の空間は、第１壁部６２ａと第２壁部６２ｂと第３壁部６２ｃとによって囲まれる（囲まれた空間は隙間５６と略同じである）。
【００８３】
このように、フィルタ部材６０の下面６０ｂ側は、壁部６２によって、フィルタ６１１，６１２，６１３ごとの空間（隙間３６，４６，５６）に区切られる。そのため、ファン３１，４１，５１が作動すると、壁部６２は、フィルタ部材６０の下面６０ｂ側において、空気の流路（矢印Ａ１，Ｂ１，Ｃ１参照）をファン３１，４１，５１ごとに区画することとなる。
【００８４】
これにより、たとえば便器１０内の空気とトイレルーム１００内の空気とが、フィルタ部材６０の下面６０ｂ側において混合してしまうことを抑制することができる。従って、便器１０内の空気は便器脱臭ファン３１によって、トイレルーム１００内の空気は室内脱臭ファン４１または換気ファン５１によって確実に吸引され、結果として脱臭や換気を適切に行うことができる。
【００８５】
また、フィルタ部材６０は、壁部６２を備えることから、粉塵がファン３１，４１，５１に吸引されることを、より効果的に抑制することができる。すなわち、図９に示すように、第１フィルタ６１１等の上流側の面（下面６０ｂ）には、捕集した粉塵Ｄが付着する。ここで、たとえば仮に、壁部６２を備えていないフィルタ部材６０の場合、使用者がケース部２４から取り外そうとすると、第１フィルタ６１１の下面６０ｂがケース部２４と擦れて粉塵Ｄが剥がれ落ち、剥がれ落ちた粉塵Ｄを便器脱臭ファン３１が吸い込んでしまうおそれがある。
【００８６】
そこで、本実施形態に係るフィルタ部材６０にあっては、壁部６２を備えるようにした。これにより、フィルタ部材６０がケース部２４から取り外される際、壁部６２がケース部２４と擦れることとなる。すなわち、粉塵Ｄが付着した第１フィルタ６１１の下面６０ｂは、ケース部２４と擦れないため、粉塵Ｄが剥がれ落ちることがなく、よって粉塵Ｄが便器脱臭ファン３１などに吸引されることを、より効果的に抑制することができる。
【００８７】
取手部６３は、フィルタ部材６０がケース部２４に取り付けられた状態で、ケース部２４の側面側、具体的には右側面側に近い周縁に沿って形成される。また、取手部６３は、壁部６２と同様に、フィルタ部材６０の下面６０ｂ側に突出するように形成される。これにより、使用者は、取手部６３をつまむことで、フィルタ部材６０をケース部２４に対して容易に着脱することが可能になる。
【００８８】
また、図９に示すように、取手部６３は、下面６０ｂからの高さＨ２が、壁部６２の高さＨ１よりも低くなるように形成される。これにより、図５，６に示すように、取手部６３の下方において、取手部６３から便器１０の上面１０ａまでの距離を、取手部６３の高さＨ２が壁部６２の高さＨ１以上の場合に比べて大きく取ることができる。これにより、トイレルーム１００の空気を、矢印Ｂ１，Ｃ１に示すように、隙間４６，５６へスムーズに流すことができる。
【００８９】
係止爪６４は、フィルタ部材６０の中央付近に形成される。係止爪６４としては、たとえばスナップフィットを用いることができるが、これに限定されるものではない。また、係止爪６４は、図９に示すように、フィルタ部材６０において、空気の流れ方向において下流側に向けて（図９で下方から上方へ向けて）突出するように形成される。
【００９０】
一方、ケース部２４は、図９に想像線で示すように、フィルタ部材６０が取り付けられた状態において、フィルタ部材６０の下流側の面（上面６０ａ）と対向する位置に、係止爪６４と係止可能な係止部２８が形成される。
【００９１】
これにより、係止爪６４は、フィルタ部材６０がケース部２４に取り付けられた状態において、係止部２８と係止することから、フィルタ部材６０がケース部２４から抜け落ちたりすることを防止することができる。
【００９２】
また、本実施形態にあっては、係止爪６４および係止部２８を上記のように構成したことから、粉塵Ｄがファン３１，４１，５１に吸引されることを、より一層効果的に抑制することができる。
【００９３】
すなわち、たとえば仮に、係止爪６４が、フィルタ部材６０の上流側に向けて（図９で上方から下方へ向けて）突出するように形成されると、係止部２８は、フィルタ部材６０の上流側の面（下面６０ｂ）と対向する位置に形成されることとなる。このような場合、使用者がケース部２４からフィルタ部材６０を取り外そうとすると、粉塵Ｄが付着した第１フィルタ６１１の下面６０ｂが係止部２８と接触して粉塵Ｄが剥がれ落ち、剥がれ落ちた粉塵Ｄを便器脱臭ファン３１が吸い込んでしまうおそれがある。
【００９４】
そこで、本実施形態にあっては、係止爪６４および係止部２８を上記のように構成したことから、第１フィルタ６１１の下面６０ｂが係止部２８と接触することはなく、よって粉塵Ｄが便器脱臭ファン３１などに吸引されることを、より一層効果的に抑制することができる。
【００９５】
ストッパ部６５は、フィルタ部材６０の下面６０ｂ側の周縁のうち、取手部６３に近接した位置に形成される。一方、ケース部２４には、フィルタ部材６０が取り付けられた状態において、ストッパ部６５が当接する位置に当接部２４ａ２が形成される。
【００９６】
これにより、フィルタ部材６０は、ケース部２４に取り付けられる際、ストッパ部６５が当接部２４ａ２と当接することで、それ以上の移動が規制されることとなる。これにより、フィルタ部材６０がケース部２４に対して奥まで入り込んでしまうことを防止することができる。
【００９７】
次に、排気部材８０について図１０，１１を参照して説明する。図１０は、便座装置２０を後方から見たときの模式斜視図である。また、図１１は、排気部材８０の拡大斜視図である。なお、図１１は、排気部材８０をケース部２４への取り付け側である裏面側から見たときの斜視図である。
【００９８】
図１０，１１に示すように、排気部材８０は、第１排気口８１１と、第２排気口８１２と、壁部８２と、係止爪８３とを備え、ケース部２４に対して着脱自在とされる。
【００９９】
第１排気口８１１は、第１排気路３３の下流側に対応する位置で、ケース部２４に取り付けられる。すなわち、第１排気口８１１は、第１脱臭装置３０の下流側に位置されて便器脱臭ファン３１から第１脱臭装置３０、第１排気路３３を介して流れる空気を排出する。
【０１００】
第２排気口８１２は、第２排気路４３の下流側に対応する位置で、ケース部２４に取り付けられる。すなわち、第２排気口８１２は、第２脱臭装置４０の下流側に位置されて室内脱臭ファン４１から第２脱臭装置４０、第２排気路４３を介して流れる空気を排出する。
【０１０１】
このように、排気部材８０は、排出する空気の異なる第１、第２排気口８１１，８１２を有している。言い換えると、第１、第２排気口８１１，８１２は、一つの部材である排気部材８０に形成される。
【０１０２】
これにより、便座装置２０にあっては、装置外へ排気するファン３１，４１が増えた場合であっても、部品点数の増加を招くことなく、排気口８１１，８１２を設けることができる。
【０１０３】
また、使用者は、排気部材８０をケース部２４から取り外し、排気口８１１，８１２等に付着した粉塵を洗い流すメンテナンスを行う。本実施形態においては、上記のように、排気口８１１，８１２が一つの部材たる排気部材８０に形成されるため、使用者は１回の洗浄作業で、排気口８１１，８１２をきれいにすることが可能となり、よってメンテナンスの負担を軽減することができる。
【０１０４】
壁部８２は、図１１に示すように、排気部材８０の空気の流れ方向における上流側となる裏面８０ａ側に形成されるとともに、第２排気口８１２の上流側を囲むようにして形成される。また、排気部材８０は、ケース部２４に取り付けられた状態において、壁部８２の先端が第２排気路４３の出口部分に当接あるいは近接するように形成される。
【０１０５】
これにより、排気部材８０の上流側において、第１排気路３３からの排気流路と第２排気路４３からの排気流路とが壁部８２によって区画されることとなる。これにより、第１排気路３３からの排気を第１排気口８１１を介して、第２排気路４３からの排気を第２排気口８１２を介して、混合させることなく確実に便座装置２０外へ排出させることができる。
【０１０６】
なお、上記では、壁部８２は、第２排気口８１２を囲むようにしたが、これに限られない。すなわち、壁部８２によって排気流路を区画できればよく、たとえば第１排気口８１１の上流側を囲むように形成したり、第１排気口８１１と第２排気口８１２との間に設けたりしてもよい。
【０１０７】
係止爪８３は、排気部材８０の周縁の適宜位置に形成される。係止爪８３としては、たとえばスナップフィットを用いることができるが、これに限定されるものではない。一方、ケース部２４は、係止爪８３と対応する位置に、係止爪８３と係止可能な係止部２９が形成される。
【０１０８】
これにより、係止爪８３は、排気部材８０がケース部２４に取り付けられた状態において、係止部２９と係止することが可能となり、よって排気部材８０がケース部２４から脱落することを防止することができる。
【０１０９】
上述してきたように、実施形態に係る便座装置２０は、便器脱臭ファン３１（第１送風部の一例）と、室内脱臭ファン４１（第２送風部の一例）と、換気ファン５１（第３送風部の一例）と、フィルタ部材６０とを備える。便器脱臭ファン３１は、便器１０内の空気を吸引して第１脱臭装置３０へ送出する。室内脱臭ファン４１は、トイレルーム１００内の空気を吸引して第２脱臭装置４０へ送出する。換気ファン５１は、トイレルーム１００内の空気を吸引してケース部２４内へ送出し、ケース部２４内を換気する。フィルタ部材６０は、便器脱臭ファン３１の上流側に位置される第１フィルタ６１１と、室内脱臭ファン４１の上流側に位置される第２フィルタ６１２と、換気ファン５１の上流側に位置される第３フィルタ６１３とを有する。これにより、便座装置２０において、搭載されるファンが増えた場合であっても、部品点数の増加を招くことなく、フィルタを設けることができる。
【０１１０】
なお、上記した実施形態にあっては、フィルタ部材６０において、第１〜第３フィルタ６１１〜６１３が形成される位置などを具体的に示したが、あくまでも例示であって限定されるものではない。
【０１１１】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１１２】
１  トイレ装置
１０  便器
２０  便座装置
２４  ケース部
４１  室内脱臭ファン
３１  便器脱臭ファン
５１  換気ファン
６０  フィルタ部材
６２  壁部
６４  係止爪
８０  排気部材
１００  トイレルーム
６１１  第１フィルタ
６１２  第２フィルタ
６１３  第３フィルタ
【図１】
2018028233.tif 000003
【図２】
2018028233.tif 000004
【図３】
2018028233.tif 000005
【図４】
2018028233.tif 000006
【図５】
2018028233.tif 000007
【図６】
2018028233.tif 000008
【図７】
2018028233.tif 000009
【図８】
2018028233.tif 000010
【図９】
2018028233.tif 000011
【図１０】
2018028233.tif 000012
【図１１】
2018028233.tif 000013